【事件の表示】
　商願２００３−　９２２０２拒絶査定不服審判事件について、次のとおり審決する。
【結　論】
　本件審判の請求は、成り立たない。
【理　由】
１　本願商標
　本願商標は、「ＣＴ−ＯＰ」の文字を標準文字により表してなり、第６類、第９類及び第４０類に属する願書に記載のとおりの商品及び役務を指定商品及び指定役務として、平成１５年１０月２１日に登録出願され、その後、指定商品及び指定役務については、同１８年１２月２６日付け手続補正書により、第９類「超電導線，超電導ケーブル」に補正されたものである。
　
２　原査定の拒絶理由の要点
　原査定は、「本願商標は、商品の品番、等級等を表示する記号、符号として普通に採択使用されるローマ字２文字「ＣＴ」と「ＯＰ」とをハイフンで結合してなるにすぎないから、これは極めて簡単で、かつ、ありふれた標章のみからなる商標と認める。したがって、本願商標は、商標法第３条第１項第５号に該当する。」旨認定、判断し、本願を拒絶したものである。 
　
３　当審の判断
　本願商標は、前記のとおり、ローマ字２文字の「ＣＴ」と「ＯＰ」が「−（ダッシュ）」（「−」は、原査定では「ハイフン」と認定されているが、本願商標は、標準文字であるから、「ダッシュ」と認定すべきものと認める。）で結合されているとしても、「−（ダッシュ）」を介することにより、「ＣＴ」の文字と「ＯＰ」の文字とが離れた印象を与えるものであって、構成全体をみた場合に、両文字部分が視覚上分離して看取されるのに加え、全体として特定の意味合いを有する一語を表したものともいえないものである。
　ところで、ローマ文字２字からなる標章は、一般に商品の型式、品番等を表すための記号・符号として、各種商品について、普通に使用されている実情にあり、また、本願の指定商品を取り扱う業界においても、ローマ文字２字と「−」とを組み合わせて、商品の品番、型式として採択・使用することは普通に一般に行われているところである。
　そして、上記した実情は、以下の情報からも裏付けられる。
（１）「建設物価２００３年３月号」（財団法人建設物価調査会平成１５年３月１日発行）の「ケーブル・電線」の４７９頁には、〈ＥＭ電線・ケーブル一覧表〉中、「ＥＭ記号」の欄に「ＥＭ−ＩＥ」、「ＥＭ−ＣＥ」との記載
（２）「協和電線株式会社」の「電線・ケーブル」（http://www.kyowa-densen.co.jp/cable/index.html）のホームページには、「製品ラインナップ」の表中、「エコケーブル（商品記号）」の欄に「ＥＭ−ＨＰ」、「ＥＭ−ＡＥ」及び「ＥＭ−ＫＥ」との記載
（３）「株式会社フジクラ」の「エコ電線・ケーブル製品ラインナップ」（http://www.fujikura.co.jp/ecocable/rain.html）のホームページには、エコ電線・ケーブルの記号として「６００Ｖ　ＥＭ−ＩＥ」、「６００Ｖ　ＥＭ−ＥＥ」及び「６００Ｖ　ＥＭ−ＣＥ」との記載
（４）「キャブタイヤケーブル」（www.hitachi-cable.co.jp/catalog/h-001/pdf/cable-4-4-2.pdf ）の見だしのもと、１５０頁の「（２）使用方式と適用ケーブル」の表中、「ケーブル品種」の欄に「ＳＫ−２ＰＮＣＴ」、「ＲＥ−２ＰＮＣＴ」等の記載、１６９頁の「電線ケーブル／２００℃耐熱（シールド付）・・・」の「特長」の項に「難燃性（ＶＷ−１クラス）に優れています。」との記載
（５）「株式会社キーエンス」（http://www.keyence.co.jp/panel/data/dt_100/kousei01.jsp;jsessionid=E230E34E3522984F158C745F7F5C9152）のホームページには、品名「連結ケーブル」、「ＲＳ−２３２Ｃリンクケーブル」及び「三菱電機（株）ＭＥＬＳＥＣ　Ａ／ＦＸ　プロコンポート直結ケーブル」の型式名として「ＯＰ−３０５９０」、「ＯＰ−２４０２７」及び「ＭＴ−Ｃ１０」との記載
（６）「古川電気工業株式会社の製品紹介」（http://www.furukawa.co.jp/seihin_index.htm）をみると、製品「光ケーブル」（http://www.furukawa.co.jp/optcom/optcable.htm）の表中、種類「層撚型」、「溝型」及び「防水型」の型名として「ＳＬ」、「ＭＬ」及び「ＷＢ」との記載、また、製品「メタルケーブル」中「高周波同軸ケーブル」（http://www.furukawa.co.jp/optcom/metalcable/pdf/metal_3_01.pdf）の構造・特性の表には、記号として「５Ｃ−２Ｖ」、「３Ｃ−２Ｔ」との記載、「無線通信・放送設備用同軸ケーブル」（http://www.furukawa.co.jp/optcom/metalcable/pdf/metal_3_12.pdf）の構造の表には、型名として「ＣＸ−Ｄ−１５ＺＥ」、「ＣＸ−Ｄ−２０ＺＥ」との記載
（７）「サンワサプライ株式会社」（http://www.sanwa.co.jp/product/syohin.asp?code=KU-EN2）のホームページには、品名「ＵＳＢ延長ケーブル（２ｍ）」の品番として「ＫＵ−ＥＮ２」との記載
（８）「Ａｍａｚｏｎ．ｃｏ．ｊｐ」（http://www.amazon.co.jp/%E3%82%B3%E3%83%B3%E3%83%86%E3%83%83%E3%82%AF-%E3%83%84%E3%82%A4%E3%82%B9%E3%83%88%E3%83%9A%E3%82%A2%E3%82%B1%E3%83%BC%E3%83%96%E3%83%AB-10M-TP-10/dp/B000FHXV3G）のホームページには「コンテック　ツイストペアケーブル（１０Ｍ）　ＴＰ−１０」との記載
（９）「昭和ハイテクレント株式会社」（http://www.shiret.co.jp/scripts/rental_detail_pc.php?s=4k=5）のホームページには、「ネットワーク関連　バッファロー」の表に名称・仕様「１０／１００ＢＡＳＥ−ＴＸケーブル」の製品型番として「ＫＢ−１０Ｔ５−０５Ｋ」との記載
　以上より、「−（ダッシュ）」を介したローマ文字２字、あるいは１字の組み合わせが、電線を取り扱う業界においては、ケーブルの型式・品番表示として類型的に採択使用されているものと認められる。
　そして、本願商標は、ローマ文字２文字「ＣＴ」と「ＯＰ」を「−」で結合し、普通に用いられる方法で「ＣＴ−ＯＰ」と表したこと以外、なんら、特別の構成を備えていない。
　そうとすれば、本願商標をその指定商品に使用した場合、これに接する取引者、需要者は、前記事情よりして、商品の型式や品番表示として理解するに止まり、それ以上に当該商品の出所を示す識別標識とは認識し得ないものであるから、結局、本願商標は、極めて簡単で、かつ、ありふれた標章のみからなる商標といわなければならない。
　なお、請求人は、「高温超電導」の長尺線を商業レベルで製造できる世界初の技術を開発し、これを「ＣＴ−ＯＰ」と名付けて、２００４年頃より使用を始め、同業者はもとより、顧客層に知られるに至っている旨、また、超電導ケーブルの市場においては、商品を品番で取引する実情がなく、本願商標が品番を表したものとは理解されなく、また、欧州共同体、中国、韓国において登録されている旨述べ、その証拠として資料１ないし資料１２を提出している。
　しかしながら、請求人は、「特集高温超電導」と題する文章中に「革新的なプロセス開発（Ｃｏｎ　Ｔｒｏｌｌｅｄ　Ｏｖｅｒ　Ｐｒｅｓｓｕｒｅ：ＣＴ−ＯＰ）」との記載（資料２）、「臨海電流値２００Ａ級の高温超電導線の開発について」のプレスリリースの文章中に「熱処理工程では当社独自開発の加圧焼成（ＣＴ−ＯＰ、Ｃｏｎｔｒｏｌｌｅｄ　Ｏｖｅｒ　Ｐｒｅｓｓｕｒｅ）法により・・・」との記載（資料３）、「韓国ＫＥＰＣＯ向け　２２．９ｋＶ高温超電導ケーブルの竣工」と題する文章中に「当社が開発した新しいＣＴ−ＯＰ製法（加圧焼成法：（Ｃｏｎｔｒｏｌｌｅｄ　Ｏｖｅｒ　Ｐｒｅｓｓｕｒｅ）で製造された・・・」（資料４）との記載、「３心一括型超電導ケーブルの開発」の論文中に「加圧焼結法（ＣＴ−ＯＰ）・・・」（資料５）との記載、「低温工学・超電導学会講演概要集」の文章中には「２次焼結プロセスにおいて加圧焼結処理（Ｃｏｎｔｒｏｌｌｅｄ　Ｏｖｅｒ　Ｐｒｅｓｓｕｒｅ：ＣＴ−ＯＰ）を行うことにより・・・」や「ＣＴ−ＯＰ法」（資料６）との記載があり、これらの文章中からは、「Ｃｏｎｔｒｏｌｌｅｄ　Ｏｖｅｒ　Ｐｒｅｓｓｕｒｅ」の頭文字より、「ＣＴ−ＯＰ」や「ＣＴ−ＯＰ法」と使用しているものであるから、これをもって商標として広く知られているとはいい難い。
　また、本願指定商品との関連のある商品の取引の実情は前記のとおりであるから、本願指定商品の市場においては、商品の品番で取引されないとはいい得ないので、その主張は、採用できない。
　さらに、請求人は、本願商標に係る諸外国の登録例（資料８ないし１２）及び本願商標と同様のローマ文字による「○○−○○」の態様の登録商標を挙げて本願商標登録の正当性について述べているが、審理にあたっては、諸外国の既登録例等に何ら拘束されることなく、客観的証拠に基づき、個別具体的に判断するものであり、これをもって上記認定が左右されるものではない。
　したがって、本願商標は商標法第３条第１項第５号に該当するものであって、登録することはできない。
　よって、結論のとおり審決する。